(57)【特許請求の範囲】
【請求項１】
後側部材に形成された穴に挿入される棒状の基部材と、
先竿の基端部が装着される装着部を有する棒状の先部材と、
前記基部材の先端に、前記先部材を揺動可能に連結するヒンジ手段と、
前記ヒンジ手段による揺動を固定するロック手段と、を具備した釣竿の連結具であって、
前記ロック手段は、
前記基部材に、軸方向移動可能に設けられた操作部と、
前記操作部の前記ヒンジ手段へ向けた移動により前記先部材の後端部へ当接して、当該先部材の揺動を固定する当接部と、を含んで構成されていることを特徴とする釣竿の連結具。
【請求項２】
前記先部材の後端部には、前記操作部に対峙するように凹凸部が設けられており、
前記当接部には、前記凹凸部に係合する係合部が設けられていることを特徴とする請求項１に記載の釣竿の連結具。
【請求項３】
前記凹凸部は歯車の歯部からなり、前記係合部には前記歯部に噛み合う受け歯が形成されていることを特徴とする請求項２に記載の釣竿の連結具。
【発明の詳細な説明】
【技術分野】
【０００１】
本発明は、後側部材と先竿との間に連結される釣竿の連結具に関する。
【背景技術】
【０００２】
従来、後側部材としての元竿に、先竿を着脱できるようにしたものとして、特許文献１に記載されたものが知られている。
特許文献１によれば、元竿に対して着脱自在とされた先竿を、元竿に略同軸に取り付けることができる。
【０００３】
ところで、ワカサギ等のような小魚を釣る場合には、先竿の穂先を斜め下方へ向けて保持し、先竿に対する仕掛け負荷を少なくして、小魚の当たりを感知し易くすることが行われる。
特許文献１では、元竿に略同軸に先竿が取り付けられているので、小魚の当たりを感知し易くするためには、先竿の穂先が斜め下方へ向く姿勢で元竿を手で保持する必要があり、煩わしさがあった。
【０００４】
一方、先竿が斜め下方に向く姿勢とすることのできる釣竿として特許文献２に記載されたものが知られている。
特許文献２の釣竿では、釣竿支持台の底部に角度をずらせた複数の凹部が形成されており、任意の凹部を魚収納容器の縁部に嵌合させることで、把持部を任意の角度で支持することができ、これによって、先竿を斜め下方へ向けることができる。
【先行技術文献】
【特許文献】
【０００５】
【特許文献１】実開昭５３−１４８９９０号公報
【特許文献２】特開２００３−２３５４０５号公報
【発明の概要】
【発明が解決しようとする課題】
【０００６】
しかしながら、特許文献２の釣竿では、先竿の穂先を斜め下方へ向けて保持するために、釣行時には大型の魚収納容器を必ず携行しなければならなかった。
また、元竿も含めて釣竿全体が斜め下方へ向けた姿勢で保持されるので、釣糸の巻き取りが行い難く、釣糸操作時に釣竿の構成部材等に釣糸が引っ掛かる等して糸切れを生じるおそれもあった。
【０００７】
本発明は、前記問題を解決するためになされたものであり、先竿の穂先を斜め下方へ向けて容易に保持することができ、糸切れ等を生じることもない釣竿の連結具を提供することを目的とする。
【課題を解決するための手段】
【０００８】
このような課題を解決する本発明の釣竿の連結具は、後側部材に形成された穴に挿入される棒状の基部材と、先竿の基端部が装着される装着部を有する棒状の先部材と、前記基部材の先端に、前記先部材を揺動可能に連結するヒンジ手段と、前記ヒンジ手段による揺動を固定するロック手段と、を具備した釣竿の連結具であって、前記ロック手段は、前記基部材に、軸方向移動可能に設けられた操作部と、前記操作部の前記ヒンジ手段へ向けた移動により前記先部材の後端部へ当接して、当該先部材の揺動を固定する当接部と、を含んで構成されていることを特徴とする。
【０００９】
この釣竿の連結具によれば、後側部材に形成された穴に棒状の基部材を挿入し、棒状の先部材の装着部に先竿の基端部を装着することで、後側部材と先竿との間に介在させることができる。
そして、ヒンジ手段により、基部材に対して先部材を揺動させて先竿が任意の角度となったら、ロック手段の操作部を基部材の軸方向にヒンジ手段へ向けて移動し、当接部を先部材の後端部へ当接する。これにより、先部材を任意の角度で基部材に固定することができる。
【００１０】
また、本発明は、前記先部材の後端部には、前記操作部に対峙するように凹凸部が設けられており、前記当接部には、前記凹凸部に係合する係合部が設けられていることを特徴とする。
【００１１】
この釣竿の連結具によれば、先部材の後端部に設けられた凹凸部に、当接部の係合部が係合することによって、先部材の揺動を固定することができる。
【００１２】
また、本発明は、前記凹凸部は歯車の歯部からなり、前記係合部には前記歯部に噛み合う受け歯が形成されていることを特徴とする。
【００１３】
この釣竿の連結具によれば、凹凸部の歯車の歯部に係合部の受け歯が噛み合うことによって、先部材の揺動を固定することができる。
【発明の効果】
【００１４】
本発明によれば、ヒンジ手段により基部材に対して先部材を揺動させ、ロック手段により先部材を任意の角度で基部材に固定することができるので、本発明の釣竿の連結具を介して先竿の穂先を斜め下方等へ向けて容易に保持することができる。したがって、小魚の当たりが感知し易くなり、釣果の向上が期待できる。
また、後側部材は傾斜した姿勢とならずに通常の水平姿勢等を保持したまま、先竿のみを斜め下方等へ屈折させることができるので、後側部材も斜め下方等へ向く姿勢となる場合に比べて、後側部材を容易に手で保持することができ、魚釣操作性を向上することができる。
また、後側部材が傾斜した姿勢とならないので、釣糸送出し操作時や巻取り操作時等に誤って釣糸を傷めることがなくなり、糸切れ等が生じるのを好適に防止することができる。これにより、手返しがよくなり、釣果の向上が期待できる。また、糸切れ等が生じ難くなるので経済的である。
【００１５】
また、ロック手段を構成している操作部は、基部材に軸方向移動可能に設けられ、ヒンジ手段へ向けた移動により先部材の後端部へ当接して先部材の揺動を固定するので、基部材の径方向（ヒンジ手段の軸方向）の移動成分を含まずに固定を行うことができる。したがって、基部材の径方向（ヒンジ手段の軸方向等）の移動成分を含む固定手法に比べてヒンジ手段の軸方向の突出量を小さくすることができ、これによって釣糸の引っ掛かり等を防止することができる。これにより、釣糸が傷んだり糸切れ等が生じたりするのを好適に防止することができる。
【００１６】
また、先部材の後端部に設けられた凹凸部に当接部の係合部が係合する構成では、凹凸部に係合部が係合することによって、先部材の揺動を固定することができるので、固定のための構成が簡単であり、屈折構造を備えた釣竿の連結具を簡単に製造することができる。したがって、コストを低減することができる。
【００１７】
また、凹凸部が歯車の歯部からなり、係合部に歯部に噛み合う受け歯が形成されている構成では、歯部と受け歯との係合によって先部材の揺動を固定することができるので、固定のための構成がより簡単であり、屈折構造を備えた釣竿の連結具をより簡単に製造することができる。したがって、より一層コストを低減することができる。
また、歯部と受け歯との歯数を細かく設定することにより、屈折の角度を細かく設定することができ、魚釣操作性を向上することができる。
【図面の簡単な説明】
【００１８】
【図１】（ａ）は本発明の第１実施形態に係る釣竿の連結具をリールに接続した状態を示す斜視図、（ｂ）は釣竿の連結具の拡大斜視図である。
【図２】（ａ）は側面図、（ｂ）は平面図、（ｃ）は横断面図、（ｄ）は図２（ｂ）におけるＡ−Ａ線断面図である。
【図３】分解斜視図である。
【図４】作用を示す側面図である。
【図５】本発明の第２実施形態に係る釣竿の連結具の斜視図である。
【図６】作用説明図であり、（ａ）は前方から見た説明図、（ｂ）は側方から見た説明図である。
【図７】本発明の第３実施形態に係る釣竿の連結具を示す図であり、（ａ）は側面図、（ｂ）は平面図、（ｃ）は横断面図である。
【発明を実施するための形態】
【００１９】
以下、本発明に係る釣竿の連結具の実施の形態について図面を参照しながら説明する。なお、以下の説明では、釣竿の連結具としてワカサギ釣り用の釣竿とリールとの連結に本発明を適用したものを例示するが、投げ、磯、船、ルアー釣りなど様々な釣りに用いられる釣竿の連結具に本発明は適用可能であり、本発明の釣竿の連結具が適用される釣竿やリール等の形態を限定する趣旨ではない。また、以下の説明において、「前後、左右、上下」を言うときは、図１（ａ）に示した方向を基準とする。
【００２０】
（第１実施形態）
本実施形態の釣竿の連結具１は、図１（ａ）に示すように、後側部材としてのリール６０の先端部に形成された竿受け穴（穴）６０ａに挿入される挿入部１１を有する棒状の基部材１０（図１（ｂ）参照）と、先竿の基端部としての扁平な釣竿Ｒの元部Ｒ１が挿入される先部材２０（図１（ｂ）参照）と、基部材１０の先端に、先部材２０を揺動可能に連結するヒンジ手段Ｈと、ヒンジ手段Ｈによる揺動を固定するロック手段ＬＫと、を備えて構成されている。
【００２１】
ここで、リール６０は、略偏平な箱形であり、釣人が片方の手で掴む（把持する）ことができる程度の大きさを有している。そして、リール６０は、前部側上面の中央部に回転自在に軸支されたスプール６１を、内部に設けられた図示しないバッテリーで電動モータを回転駆動することによって、スプール６１から繰り出された釣糸Ｌの巻き上げを行うことができるようになっている。なお、スプール６１の回転駆動は、リール６０の上面に突設されたクラッチレバー６２を左右方向に傾倒操作することによって行われる。
【００２２】
基部材１０は、図２（ａ）〜（ｃ）、図３に示すように、円柱状の挿入部１１と、挿入部１１の前方外周面に形成された雄ねじ部１２と、雄ねじ部１２の前部に形成された保持部１３と、ヒンジ手段Ｈを構成する連結部１４と、を有している。
【００２３】
雄ねじ部１２には、後記するロック手段ＬＫを構成する円筒状の操作部３０が螺合可能である。雄ねじ部１２および保持部１３は、平らに面取りされた左右両側部１２ａ，１３ａ（図３では片側のみ図示）をともに有している。雄ねじ部１２の左右両側部１２ａは、後記する当接部材３１を組み付ける際のガイド部として機能し、保持部１３の左右両側部１３ａは、保持部１３における当接部材３１のガイド部および回り止め部として機能するようになっている。
保持部１３は、図２（ｄ）に示すように、軸方向から見て断面が略小判形状を呈しており、左右両側部１３ａ，１３ａと、湾曲部１３ｂ，１３ｂと、を有している。
【００２４】
連結部１４は、図２（ａ）〜（ｃ）、図３に示すように、平らに面取りされた左右両側部１４ａを有している。連結部１４は、保持部１３よりも幅狭とされており、先部材２０の後端部に設けられたヒンジ手段Ｈを構成する後記の回動部２１の縦溝（連結空間）２３に、若干の隙間をもって挿入されるようになっている。また、連結部１４には、ヒンジ手段Ｈとしてのピン４０が挿入されるピン挿入孔１４ｂが形成されている。
【００２５】
先部材２０は、回動部２１と、回動部２１の前部に一体的に設けられた円柱状の支持部２２と、円筒状の装着部２３と、ガイド部２５とを備えて構成されている。
回動部２１は、図２（ａ）に示すように、側面視で歯車状とされており、外周面に歯部（凹凸部）２１ａが形成されている。回動部２１の軸方向中央部分には、図２（ｂ）に示すように、縦溝２３が形成されている。この縦溝２３は、基部材１０の連結部１４が挿入される連結空間となる。回動部２１の軸部には、図２（ｃ）、図３に示すように、ヒンジ手段Ｈとしてのピン４０が挿入されるピン挿入孔２１ｂが形成されている。
回動部２１と連結部１４とは、ピン挿入孔２１ｂ，１４ｂにピン４０を挿通することで揺動可能に取り付けられる。取り付けられた状態で、図２（ｂ）（ｃ）に示すように、連結部１４の先端部と回動部２１の内面２３ａとの間には、若干の隙間が形成されるようになっている。これにより、先部材２０の揺動が確保されている。
【００２６】
支持部２２は、図３に示すように、段付き円柱状とされており、回動部２１の前部の中央部から前方へ向けて突設され、大径部２２ａと小径部２２ｂとを備えている。支持部２２の上部には、大径部２２ａから小径部２２ｂにかけて溝部２２ｃが形成されている。この溝部２２ｃには、ガイド部２５の取付部２５ａが収容可能である。
【００２７】
小径部２２ｂには、装着部２３が外嵌されて固定される。装着部２３の固定に際しては、小径部２２ｂの溝部２２ｃにガイド部２５の取付部２５ａを先に収容しておいて、装着部２３との間に取付部２５ａを挟み込むようにしてこれを固定する。これにより、ガイド部２５が、大径部２２ａと小径部２２ｂと装着部２３との間に押さえられる状態となり、これによって支持部２２に固定される。なお、ガイド部２５には、先端部に釣糸Ｌ（図１（ｂ）参照）が挿通されるガイド孔２５ｂが形成されている。
【００２８】
操作部３０は、内面に、基部材１０の雄ねじ部１２に螺合する雌ねじ部３０ａが形成されており、螺合により基部材１０に軸方向移動可能に取り付けられる。
【００２９】
当接部材３１は、外形が略四角形状の部材であり、中央部には、基端部１０が挿通される挿通孔３１Ａが形成されている。挿通孔３１Ａは、図２（ｄ）に示すように、軸方向から見て略小判形状を呈しており、保持部１３の左右両側部１３ａに隙間を空けて対峙する側部３１ｃと、保持部１３の湾曲部１３ｂに隙間を空けて対峙する湾曲部３１ｂとを有している。
当接部材３１の左右前部は、前方へ突出しており、図３に示すように、先部材２０の回動部２１に設けられた歯部２１ａに噛み合う受け歯３１ａ（当接部）が形成されている。
このような当接部材３１は、操作部３０を締め付けることにより操作部３０に押圧されて先部材２０の回動部２１に向けて移動し、回動部２１の歯部２１ａに押圧される。これにより回動部２１の歯部２１ａに当接部材３１の受け歯３１ａが歯合し、ピン４０を中心とした回動部２１の揺動がロックされる。
【００３０】
なお、ヒンジ手段Ｈは、連結部１４、ピン挿入孔１４ｂ、回動部２１、ピン挿入孔２１ｂ、およびピン４０等により構成される。
また、ロック手段ＬＫは、雄ねじ部１２（基端部１０）、操作部３０、保持部１３、当接部材３１、歯部２１ａ等により構成される。
【００３１】
このような釣竿の連結具１によれば、図１（ａ）に示すように、リール６０の竿受け穴６０ａに基部材１０の挿入部１１を挿入し、先部材２０の装着部２３に先竿Ｒの基端部Ｒ１を装着することで、リール６０と先竿Ｒとの間に釣竿の連結具１を介在させることができる。
そして、操作部３０を緩めて操作部３０を先部材２０の回動部２１から離れる方向に移動させることによって、回動部２１に対する当接部材３１の押圧を緩め、回動部２１の歯部２１ａに対する当接部材３１の受け歯３１ａの歯合を解除することで、図４に示すように、基部材１０に対して先部材２０を揺動させることができる。
【００３２】
そして、基部材１０に対して先竿Ｒが任意の角度となったら、操作部３０を締め付けて操作部３０を先部材２０の回動部２１に近づく方向に移動させることによって、回動部２１に当接部材３１を押圧し、回動部２１の歯部２１ａに当接部材３１の受け歯３１ａを歯合させる。これにより、先部材２０を任意の角度で基部材１０に固定することができ、先竿Ｒの穂先を斜め下方等へ向けて屈折保持することができる。
これにより、先竿Ｒに対する仕掛け負荷を少なくして、小魚の当たりを感知し易くすることができる。
【００３３】
以上説明した本実施形態の釣竿の連結具１によれば、ヒンジ手段Ｈにより基部材１０に対して先部材２０を揺動させ、ロック手段ＬＫにより先部材２０を任意の角度で基部材１０に固定することができるので、先竿Ｒの穂先を斜め下方等へ向けて容易に保持することができる。したがって、小魚の当たりが感知し易くなり、釣果の向上が期待できる。
また、リール６０は傾斜した姿勢とならずに通常の水平姿勢等保持したまま、先竿Ｒのみを斜め下方等へ屈折させることができるので、リール６０が斜め下方等へ向く姿勢となる場合に比べて、リール６０を容易に手で保持することができ、魚釣操作性を向上することができる。
また、リール６０が傾斜した姿勢とならないので、釣糸送出し操作時や釣糸巻取り操作時等に誤って釣糸Ｌを傷めることがなくなり、糸切れ等が生じるのを好適に防止することができる。これにより、手返しがよくなり、釣果の向上が期待できる。また、糸切れ等が生じ難くなるので経済的である。
【００３４】
また、ロック手段ＬＫを構成している操作部３０は、基部材１０に軸方向移動可能に設けられ、ヒンジ手段Ｈへ向けた移動により先部材２０の回動部２１へ当接して先部材２０の揺動を固定するので、基部材１０の径方向（ヒンジ手段の軸方向等）の移動成分を含まずに固定を行うことができる。したがって、基部材１０の径方向（ヒンジ手段Ｈの軸方向）の移動成分を含む場合に比べてヒンジ手段Ｈの軸方向の突出量を小さくすることができ、釣糸の引っ掛かりを防止することができる。これにより、糸切れ等が生じるのを好適に防止することができる。
【００３５】
また、先部材２０の回動部２１の歯部２１ａに当接部材３１の受け歯３１ａが係合することによって、先部材２０の揺動を固定することができるので、固定のための構成が簡単であり、屈折構造を備えた釣竿の連結具１を簡単に製造することができる。したがって、コストを低減することができる。
また、歯部２１ａと受け歯３１ａとの歯数を細かく設定することにより、屈折の角度を細かく設定することができ、魚釣操作性を向上することができる。
【００３６】
なお、当接部材３１は、四角形状の外形としたが、これに限られることはなく、操作部３０の外径と同様の外径を有する円環形状としてもよい。このように構成することによって、釣糸が不意に引っ掛かるのをより一層防止することができる。これにより、糸切れ等が生じるのをより好適に防止することができる。
【００３７】
また、歯部２１ａおよび受け歯３１ａは必ずしも設ける必要はなく、どちらか一方、あるいは両方に、滑り止め部材を取り付けて、滑り止め部材による接触で基部材１０に対する先部材２０の揺動を固定するようにしてもよい。
【００３８】
また、歯部２１ａおよび受け歯３１ａの代わりにスプライン状の凹凸部とこれに係合する凹凸部とを形成して、先部材２０の揺動を固定するようにしてもよい。
【００３９】
また、リール６０が本実施形態で示したような扁平の箱型である場合には、屈折の角度を調整する際に、リール６０を掴む手を前方へそのまま移動させて、親指と人差指で操作部３０を摘んで回せばよいので、角度を調節する際の操作がスムーズであり、魚釣操作性に優れる。
【００４０】
（第２実施形態）
本実施形態が前記第１実施形態と異なるところは、図５に示すように、先部材２０に、ガイド部２５を回動可能に取り付けた点にある。
先部材２０には、リング部２６が周方向に回動可能に装着されており、このリング部２６にガイド部２５が取り付けられている。
なお、リング部２６に図示しない固定部材を設けて、リング部２６を先部材２０の周方向の所定位置、例えば、上方へ起立した位置、側方へ倒した位置の少なくとも２つの位置に容易に固定することができるように構成してもよい。
【００４１】
このような釣竿の連結具１では、図６（ａ）（ｂ）に示すように、基部材１０に対して先部材２０を、例えば略９０度屈折させた場合に、ガイド部２５を側方に倒すことで、ヒンジ手段Ｈから釣糸Ｌを離間させてガイドすることができる。
つまり、リール６０の先端ガイド６４から引き出された釣糸Ｌは、ヒンジ部Ｈ（回動部２１）を側方へ迂回するようにして、ヒンジ手段Ｈの側方を通り、ガイド部２５に挿通されて釣竿Ｒに導かれる。したがって、釣糸Ｌの引き出しに、ヒンジ手段Ｈが邪魔にならず、釣糸Ｌの送出し操作および巻取り操作を問題なく行うことができる。
【００４２】
本実施形態の釣竿の連結具１によれば、基部材１０に対して先部材２０を、最大略９０度屈折させた場合にも、釣糸Ｌがヒンジ手段Ｈ等に接触することがなく、釣糸Ｌを傷めることがない。したがって、糸切れ等が生じるのを好適に防止することができる。これにより、手返しがよくなり、釣果の向上が期待できる。また、糸切れ等が生じ難くなるので経済的である。
【００４３】
（第３実施形態）
本実施形態が前記第１，第２実施形態と異なるところは、図７（ａ）〜（ｃ）に示すように、先部材２０の回動部２１Ａを側面視で略六角形状とした点である。
回動部２１Ａは、六角形の辺をなす平らな当接面２１Ｂを有しており、当接面２１Ｂに操作部３０の前面３０ｃを当接して操作部３０を締め付けることで、先部材２０の揺動が固定される。
【００４４】
この釣竿の連結具１によれば、回動部２１Ａが側面視で略六角形状とされており、簡単な凹凸部を有するものとなっているので、固定のための構成が簡単であり、屈折構造を備えた釣竿の連結具１を簡単に製造することができる。したがって、コストを低減することができる。
【００４５】
また、当接面２１Ｂと前面３０ｃとの当接による、面と面との押圧により先部材２０の揺動が固定されるので、固定が強固なものとなり、斜め下方等へ向けた釣竿の固定をよりしっかりと行うことができる。
また、所望の当接面２１Ｂに前面３０ｃを固定することによって、即座に所定の角度として揺動を固定することができ、角度調節が行い易いという利点が得られる。
【００４６】
また、回動部２１Ａは側面視で、五角形状としてもよく、七角形状以上としてもよい。
【００４７】
なお、前記各実施形態では、後側部材としてリール６０を示したが、これに限られることはなく、釣竿同士の連結に用いてもよい。
【００４８】
回動部２１，２１Ａの高さ寸法、軸方向の幅寸法は、操作部３０の外径と略同様となるように構成してもよい。このようにすることで、ヒンジ手段Ｈ周りの上下方向、左右方向における突出量が少なくなり、釣糸Ｌの引っ掛かり等が生じるのをより一層好適に防止することができる。
【符号の説明】
【００４９】
１      釣竿の連結具
１０    基部材
２１    回動部（後端部）
２１ａ  歯部（凹凸部）
２１Ｂ  当接面
２３    装着部
３０    操作部
３１ａ  受け歯（当接部、係合部）
６０    リール（後側部材）
Ｒ      先竿
Ｒ１    基端部
Ｈ      ヒンジ手段
ＬＫ    ロック手段
【図１】
0005572126.tif 000002
【図２】
0005572126.tif 000003
【図３】
0005572126.tif 000004
【図４】
0005572126.tif 000005
【図５】
0005572126.tif 000006
【図６】
0005572126.tif 000007
【図７】
0005572126.tif 000008